(57)【要約】【課題】開放型ろ過装置が設置されている前段ろ過装置と、密閉型ろ過装置が設置されている後段ろ過装置とを備える水処理システムにおいて、中間水槽を設置しない水処理システムを提供すること、即ち、スペースやコストを大幅に削減し、設置条件の制約を解消し、運転制御系統を統一することができる水処理システムを提供する。【解決手段】開放型ろ過装置１１と密閉型ろ過装置２１とをポンプ４０を介して直接接続し、開放型ろ過装置１１でろ過された処理水の流量は、ポンプ４０の回転数または前記ポンプ４０の２次側に取り付けたバルブの開度によって制御して密閉型ろ過装置２１へ圧送することとした。【選択図】図１
2010115576.tif 000002
【特許請求の範囲】
【請求項１】
開放型ろ過装置が少なくとも１台以上設置されている前段ろ過装置と、密閉型ろ過装置が少なくとも１台以上設置されている後段ろ過装置とを備える水処理システムにおいて、
前記前段ろ過装置と前記後段ろ過装置とはポンプを介して直接接続され、
前記前段ろ過装置でろ過された処理水（以下「前段処理水」という。）の流量は、前記ポンプの回転数または前記ポンプ２次側に取り付けたバルブの開度によって制御されて前記後段ろ過装置へ圧送されることを特徴とする水処理システム。
【請求項２】
請求項１に記載の水処理システムにおいて、
前記前段ろ過装置の２次側の圧力または水位のいずれか一の値が設定値から外れた場合に前記ポンプの運転が停止される制御を行うことを特徴とする水処理システム。
【請求項３】
請求項１または請求項２に記載の水処理システムにおいて、
前記前段ろ過装置への流入量が、前記ポンプで前記後段ろ過装置へ圧送される前段処理水の流入量より多くなることにより発生するオーバーフローを前記前段ろ過装置の流入口より前に戻すことを特徴とする水処理システム。
【請求項４】
請求項１乃至３のいずれか１項に記載の水処理システムにおいて、
前記ポンプで前記後段ろ過装置に圧送される前段処理水の流入量は、前記後段ろ過装置の２次側の流出口に接続されている配管に設置されている流量計で計測される前記後段ろ過装置でろ過された処理水（以下「後段処理水」と言う。）の流出量に対応して、又は前記ポンプと前記後段ろ過装置とが接続されている配管に設置されている流量計で計測される前記前段処理水の流入量で、制御され、前記前段ろ過装置への流入量は、前記前段ろ過装置の水位で制御されることを特徴とする水処理システム。
【請求項５】
請求項１乃至３のいずれか１項に記載の水処理システムにおいて、
前記ポンプで前記後段ろ過装置へ圧送される前段処理水の流入量は、前記前段ろ過装置の水位で制御されることを特徴とする水処理システム。
【請求項６】
請求項１乃至３のいずれか１項に記載の水処理システムにおいて、
前記ポンプで前記後段ろ過装置に圧送される前段処理水の流入量は、前記後段ろ過装置の２次側の流出口に接続されている配管に設置されている流量計で計測される後段処理水の流出量に対応して、又は前記ポンプと前記後段ろ過装置とが接続されている配管に設置されている流量計で計測される前記前段処理水の流入量で、制御され、前記前段ろ過装置への流入量は、前記後段処理水の流出量を基準に所定量が勘案された数値で制御されることを特徴とする水処理システム。
【請求項７】
請求項２または請求項３に記載の水処理システムにおいて、
前記ポンプで前記後段ろ過装置に圧送される前段処理水の流入量は、前記後段ろ過装置の２次側の流出口に接続されている配管に設置されている流量計で計測される後段処理水の流出量に対応して、又は前記ポンプと前記後段ろ過装置とが接続されている配管に設置されている流量計で計測される前記前段処理水の流入量で、制御され、前記前段ろ過装置への流入量は、前記後段処理水の流出量及び前記オーバーフロー量を基準に所定量が勘案された数値で制御されることを特徴とする水処理システム。
【請求項８】
請求項１乃至７のいずれか１項に記載の水処理システムにおいて、
前記前段ろ過装置が上向流砂ろ過装置、下向流砂ろ過装置、または横流式砂ろ過装置の中のいずれかであることを特徴とする水処理システム。
【請求項９】
請求項１乃至８のいずれか１項に記載の水処理システムにおいて、
前記後段ろ過装置が膜ろ過装置、急速砂ろ過装置、または活性炭ろ過装置の中のいずれかであることを特徴とする水処理システム。
【発明の詳細な説明】
【技術分野】
【０００１】
本発明は、開放型ろ過装置が設置されている前段ろ過装置と、密閉型ろ過装置が設置されている後段ろ過装置とを備える水処理システムに関する。
【背景技術】
【０００２】
従来、前段ろ過装置と後段ろ過装置とを備える水処理システムにおいて、下記特許文献に示すように、前段ろ過装置と後段ろ過装置との両段共に密閉型ろ過装置で接続する場合、同じ密閉型ろ過装置であるので中間水槽が設置されていなかった（文献図１参照）。
【０００３】
これに対し、図５に示す水処理システム１００のように、前段ろ過装置１０１が開放型ろ過装置１０２で、後段ろ過装置１０３が密閉型ろ過装置１０４であるとき、この両段のろ過装置は中間水槽１０５を用いて接続される。中間水槽１０５を用いて接続するのは、前段ろ過装置１０１が開放型ろ過装置１０２であるためろ過される処理水の流量が変動するのに対し、後段ろ過装置１０３の運転・制御を安定化させる緩衝機能を持たせるためであり、後段ろ過装置１０３の運転状況に前段ろ過装置１０１が影響を与えないように切り離するためである。また、中間水槽１０５は、前段ろ過装置１０１でろ過された処理水（以下「前段処理水」と言う。）を貯留する、後段ろ過装置１０３の原水貯留槽としての機能を有し、運転制御にも関わっていた。
【０００４】
更に、開放型ろ過装置１０２と密閉型ろ過装置１０４を接続する場合、中間水槽１０５と後段ろ過装置１０３である密閉型ろ過装置１０４との間には、ポンプ１０６が設置される。ポンプ１０６が設置されるのは、前段ろ過装置１０１である開放型ろ過装置１０２の一次側水頭は、ほぼ装置高さかそれ以下であるのに対し、密閉型ろ過装置１０４は装置よりも相当高い一次側水頭を必要とするため、直接接続したのでは密閉型ろ過装置１０４に対する水頭が得られないためである。
【０００５】
しかしながら、前段ろ過装置１０１が開放型ろ過装置１０２で、後段ろ過装置１０３が密閉型ろ過装置１０４であるとき、この両段のろ過装置を中間水槽１０５を用いて接続すると、（１）中間水槽１０５の容量は、前段処理水の流出量と後段ろ過装置１０３への流入量とのバランスから決定されるが、処理規模によっては巨大な水槽が必要となり、スペース、コストの両面で制約が大きかった。更に中間水槽を設置するとメンテナンス等の維持費が掛るとの問題点があった。また、（２）前段ろ過装置１０１は開放型で自由水面を持つため、中間水槽１０５の水位は、前段ろ過装置１０１の水位より低くする必要がある。そのため、後段ろ過装置１０３は、前段ろ過装置１０１と同レベル若しくはそれより低い位置に設置することが通常であり、設置条件に制約を受けていた。これは、後段ろ過装置１０３を前段ろ過装置１０１より高いレベルで設置すると、後段ろ過装置１０３の前に設置されるポンプ１０６の揚程を高くする必要があり、動力費増加の要因となるためである。更に、（３）前段ろ過装置１０１と後段ろ過装置１０３とを中間水槽１０５を介して接続する水処理システム１００は、制御系統が中間水槽１０５で分かれるために、水量バランスの調整や装置稼動条件の設定などを前段ろ過装置１０１と後段ろ過装置１０３とで別個に行う必要があり、制御方法が複雑であった。
【０００６】
【特許文献１】特開２００５−９５８１２
【発明の開示】
【発明が解決しようとする課題】
【０００７】
本発明はかかる問題点を解決するためになされたものであって、その目的とするところは、開放型ろ過装置が設置されている前段ろ過装置と、密閉型ろ過装置が設置されている後段ろ過装置とを備える水処理システムにおいて、中間水槽を設置しない水処理システムを提供すること、即ち、スペースやコストを大幅に削減し、設置条件の制約を解消し、運転制御系統を統一することができる水処理システムを提供することである。
【課題を解決するための手段】
【０００８】
上記目的を達成するため、本発明の請求項１に係る水処理システムは、開放型ろ過装置が少なくとも１台以上設置されている前段ろ過装置と、密閉型ろ過装置が少なくとも１台以上設置されている後段ろ過装置とを備える水処理システムにおいて、前記前段ろ過装置と前記後段ろ過装置とはポンプを介して直接接続され、前記前段ろ過装置でろ過された処理水（以下「前段処理水」という。）の流量は、前記ポンプの回転数または前記ポンプ２次側に取り付けたバルブの開度によって制御されて前記後段ろ過装置へ圧送されることを特徴とするものである。
【０００９】
また、本発明の請求項２に係る水処理システムは、請求項１に記載の水処理システムにおいて、前記前段ろ過装置の２次側の圧力または水位のいずれか一の値が設定値から外れた場合に前記ポンプの運転が停止される制御を行うことを特徴とするものである。
【００１０】
また、本発明の請求項３に係る水処理システムは、請求項１または請求項２に記載の水処理システムにおいて、前記前段ろ過装置への流入量が、前記ポンプで前記後段ろ過装置へ圧送される前段処理水の流入量より多くなることにより発生するオーバーフローを前記前段ろ過装置の流入口より前に戻すことを特徴とするものである。
【００１１】
また、本発明の請求項４に係る水処理システムは、請求項１乃至３のいずれか１項に記載の水処理システムにおいて、前記ポンプで前記後段ろ過装置に圧送される前段処理水の流入量は、前記後段ろ過装置の２次側の流出口に接続されている配管に設置されている流量計で計測される前記後段ろ過装置でろ過された処理水（以下「後段処理水」と言う。）の流出量に対応して、又は前記ポンプと前記後段ろ過装置とが接続されている配管に設置されている流量計で計測される前記前段処理水の流入量で、制御され、前記前段ろ過装置への流入量は、前記前段ろ過装置の水位で制御されることを特徴とするものである。
【００１２】
また、本発明の請求項５に係る水処理システムは、請求項１乃至３のいずれか１項に記載の水処理システムにおいて、前記ポンプで前記後段ろ過装置へ圧送される前段処理水の流入量は、前記前段ろ過装置の水位で制御されることを特徴とするものである。
【００１３】
また、本発明の請求項６に係る水処理システムは、請求項１乃至３のいずれか１項に記載の水処理システムにおいて、前記ポンプで前記後段ろ過装置に圧送される前段処理水の流入量は、前記後段ろ過装置の２次側の流出口に接続されている配管に設置されている流量計で計測される後段処理水の流出量に対応して、又は前記ポンプと前記後段ろ過装置とが接続されている配管に設置されている流量計で計測される前記前段処理水の流入量で、制御され、前記前段ろ過装置への流入量は、前記後段処理水の流出量を基準に所定量が勘案された数値で制御されることを特徴とするものである。
【００１４】
また、本発明の請求項７に係る水処理システムは、請求項２または請求項３に記載の水処理システムにおいて、前記ポンプで前記後段ろ過装置に圧送される前段処理水の流入量は、前記後段ろ過装置の２次側の流出口に接続されている配管に設置されている流量計で計測される後段処理水の流出量に対応して、又は前記ポンプと前記後段ろ過装置とが接続されている配管に設置されている流量計で計測される前記前段処理水の流入量で、制御され、前記前段ろ過装置への流入量は、前記後段処理水の流出量及び前記オーバーフロー量を基準に所定量が勘案された数値で制御されることを特徴とするものである。
【００１５】
また、本発明の請求項８に係る水処理システムは、請求項１乃至７のいずれか１項に記載の水処理システムにおいて、前記前段ろ過装置が上向流砂ろ過装置、下向流砂ろ過装置、または横流式砂ろ過装置の中のいずれかであることを特徴とするものである。
【００１６】
また、本発明の請求項９に係る水処理システムは、請求項１乃至８のいずれか１項に記載の水処理システムにおいて、前記後段ろ過装置が膜ろ過装置、急速砂ろ過装置、または活性炭ろ過装置の中のいずれかであることを特徴とするものである。
【発明の効果】
【００１７】
上記構成を備えた本発明の水処理システムは、前段ろ過装置と後段ろ過装置とが中間水槽を設置することなく直接接続されているので、中間水槽を設置するためのスペースやコストを大幅に削減することができ、設置条件の制約を解消することができる。更に、前段ろ過装置と後段ろ過装置とがポンプを介して直接接続されているので運転制御系統を統一することができる。
【００１８】
更に、請求項２に係る水処理システムは、前段ろ過装置の２次側の圧力または水位のいずれか一の値が設定値から外れた場合にポンプの運転が停止される制御であるので、緩衝機能としての中間水槽が設置されていない場合でも前段処理水がポンプにより過剰に吸引されるのを防止し、ポンプや後段ろ過装置等が棄損するのを防止することができる。
【００１９】
更に、請求項３に係る水処理システムは、前段ろ過装置と後段ろ過装置の処理能力に一時的な差異が生じることにより発生する原水若しくは前段処理水のオーバーフローを前段ろ過装置の流入口より前に戻す流路を設けたので、原水若しくは前段処理水が流出する無駄を防止することができる。
【００２０】
更に、請求項４に係る水処理システムは、前記ポンプで前記後段ろ過装置に圧送される前段処理水の流入量は、前記後段ろ過装置の２次側の流出口に接続されている配管に設置されている流量計で計測される後段処理水の流出量に対応して、又は前記ポンプと前記後段ろ過装置とが接続されている配管に設置されている流量計で計測される前記前段処理水の流入量で、制御され、前段ろ過装置への流入量は、前段ろ過装置の水位で制御されるので、後段ろ過装置で必要な前段処理水量を不足なく供給することができ、水処理システムを後段ろ過装置の処理能力に適合させて効率よく稼働させることができる。
【００２１】
更に、請求項５に係る水処理システムは、後段ろ過装置へポンプで圧送される前段処理水の流入量は、前段ろ過装置の水位で制御されるので、後段ろ過装置は、前段ろ過装置の処理能力に対応してろ過処理を行うことができる。
【００２２】
更に、請求項６に係る水処理システムは、前記ポンプで前記後段ろ過装置に圧送される前段処理水の流入量は、前記後段ろ過装置の２次側の流出口に接続されている配管に設置されている流量計で計測される後段処理水の流出量に対応して、又は前記ポンプと前記後段ろ過装置とが接続されている配管に設置されている流量計で計測される前記前段処理水の流入量で、制御され、前記前段ろ過装置への流入量は、後段処理水の流出量を基準に所定量が勘案された数値で制御されるので、前段ろ過装置と後段ろ過装置とのろ過処理能力の差異が考慮され、バッファーとしての中間水槽がないことによる前段処理水が不足し、水処理システムが停止するのを防止することができる。
【００２３】
更に、請求項７に係る水処理システムは、前記ポンプで前記後段ろ過装置に圧送される前段処理水の流入量は、前記後段ろ過装置の２次側の流出口に接続されている配管に設置されている流量計で計測される後段処理水の流出量に対応して、又は前記ポンプと前記後段ろ過装置とが接続されている配管に設置されている流量計で計測される前記前段処理水の流入量で、制御され、前記前段ろ過装置への流入量は、前記後段処理水の流出量及び前記オーバーフロー量を基準に所定量が勘案された数値で制御されるので、前段ろ過装置と後段ろ過装置とのろ過処理能力の差異が考慮され、バッファーとしての中間水槽がないことによる前段処理水が不足し、水処理システムが停止するのを防止することができる。
【００２４】
更に、本発明に係る水処理システムにおいては、前段ろ過装置に上向流砂ろ過装置、下向流砂ろ過装置、または横流式砂ろ過装置の中のいずれかを、後段ろ過装置に膜ろ過装置、急速砂ろ過装置、または活性炭ろ過装置のいずれかを用いるのが好適である。
【発明を実施するための最良の形態】
【００２５】
以下に図面を参照して、この発明の好適な実施の形態を例示して説明する。ただし、この発明の範囲は、特に限定的記載がない限り、この実施の形態に記載されている内容に限定する趣旨のものではない。
【００２６】
第１実施形態：
本発明の第１実施形態に係る水処理システムの概略図を図１に示す。この水処理システム１は、前段ろ過装置１０に開放型ろ過装置１１である横流式砂ろ過装置の一種である横流移動床式砂ろ過装置が設置され、後段ろ過装置２０には密閉型ろ過装置２１である膜ろ過装置が設置されている。
【００２７】
開放型ろ過装置１１と密閉型ろ過装置２１とは後段ポンプ４０を介して配管５０で直接接続され、開放型ろ過装置１１に原水及び後述するオーバーフローを流入させるために流入口１２に接続されている配管５１には前段ポンプ３０が中間に設置されている。また、開放型ろ過装置１１には、ろ過された前段処理水の出口である２次側の出口に圧力計１３が設置されていると共に、前段ろ過装置の水位を計測する水位計１４が設置されている。密閉型ろ過装置２１の２次側出口に接続されている配管５３の中間には流量計２２が設置されている。
【００２８】
次に、この水処理システム１でのろ過処理の流れについて説明する。図示しない原水貯留槽から配管５１に流出した原水は、前段ポンプ３０により圧送され流入口１２より開放型ろ過装置１１の１次側に流入する。開放型ろ過装置１１でろ過処理された前段処理水は、圧力計１３が設置されている２次側の流出口から配管５０に流出し、配管５０の途中に設置されている後段ポンプ４０により圧送され密閉型ろ過装置２１の１次側に流入する。密閉型ろ過装置２１でろ過処理された後段処理水は、２次側の流出口から流量計２２が設置されている配管５３へ流出する。
【００２９】
この場合において、密閉型ろ過装置２１に後段ポンプ４０で圧送される前段処理水の流入量は、配管５３に設置されている流量計２２で計測される後段処理水の流出量に基き、後段ポンプ４０の回転数で流量が制御される。そのため、後段ポンプ４０により圧送される前段処理水の必要量は、開放型ろ過装置１１で常時ろ過処理されていることが必要となり、開放型ろ過装置１１へ前段ポンプ３０で圧送される原水の流入量は、開放型ろ過装置１１に設置されている水位計１４により計測された、前段ろ過装置の水位で制御される。従って、密閉型ろ過装置２１で必要な前段処理水量が不足なく供給され、水処理システム１を密閉型ろ過装置２１の処理能力に適合させて運転することが可能となる。尚、流量の制御は、後段ポンプ４０の回転数ではなく、後段ポンプ４０と密閉型ろ過装置２１とを連結している配管５０Ａに設置されている図示されていないバルブの開度で制御しても良い。更に、開放型ろ過装置１１として設置している横流移動床式ろ過機の水位を一定に制御する目的は、このろ過装置の上部に設置されているろ過砂洗浄器の水位は固定であり、ろ過装置の水位はこの水位より一定以上高くしなければならないためであり、横流移動床式ろ過機に代えて図示しない固定床下向流ろ過機を使用した場合は、装置水位がろ過砂より下位になると、ろ過性能が著しく悪化するのでこれを防止するためである。
【００３０】
尚、配管５３に設置されている流量計２２を、後段ポンプ４０と密閉型ろ過装置２１の流入口とを連結する配管５０Ａの中間に設置し、密閉型ろ過装置２１に後段ポンプ４０で圧送される前段処理水の流入量を、この位置に設置された流量計で計測された流入量で制御しても良い。
【００３１】
また、密閉型ろ過装置２１に後段ポンプ４０で圧送される前段処理水の流入量が著しく増加し、前段ろ過装置の２次側の水位が急激に低下し、開放型ろ過装置１１に設置されている圧力計１３または水位計１４により計測されたいずれかの値が設定値より外れた場合、後段ポンプ４０の運転が停止され、後段ポンプ４０に過大な負荷が掛かることによる後段ポンプ４０及び密閉型ろ過装置２１の故障を防止することが可能となる。
【００３２】
第２実施形態：
本発明の第２実施形態に係る水処理システムは、図２に示す通りであり、第１実施形態と以下の構成が異なる以外は同じである。即ち、前段ポンプ３０と開放型ろ過装置１１の流入口１２とを連結する配管５１Ａの中間に前段流量計１５が設置されている。尚、第１実施形態において、密閉型ろ過装置２１の流出口に接続される配管５３に設置されていた流量計２２は、設置されていない。
【００３３】
第２実施形態において、密閉型ろ過装置２１に後段ポンプ４０で圧送される前段処理水の流入量は、開放型ろ過装置１１に設置されている水位計１４により計測された、前段ろ過装置の水位を一定状態に保つように、後段ポンプ４０の回転数で流量が制御される。従って、密閉型ろ過装置２１は、開放型ろ過装置１１でろ過処理された前段処理水量に適合して運転するので、水処理システム１を開放型ろ過装置１１の処理能力に適合させて運転することが可能となる。尚、開放型ろ過処理装置１１でのろ過処理量は、水位計１４により計測された、前段ろ過装置の水位に基き、流入口１２に接続されている配管５１Ａに設置されている前段流量計１５で計測される原水の流入量で制御することが可能である。
【００３４】
第３実施形態：
本発明の第３実施形態に係る水処理システムは、図３に示す通りであり、第１実施形態と以下の構成が異なる以外は同じである。即ち、開放型ろ過装置１１の上方に接続されている配管５２が、図示しない原水槽と開放型ろ過装置１１とを接続している配管５１に連結されている。また、前段ポンプ３０と開放型ろ過装置１１の流入口１２とを連結する配管５１Ａの中間に前段流量計１５が設置されている。
【００３５】
第３実施形態において、密閉型ろ過装置２１に後段ポンプ４０で圧送される前段処理水の流入量は配管５３に設置されている流量計２２で計測される後段処理水の流出量に基き、後段ポンプ４０の回転数で流量が制御される。そのため、後段ポンプ４０により圧送される前段処理水の必要量は、開放型ろ過装置１１で常時ろ過処理されることが必要となり、開放型ろ過装置１１への原水及びオーバーフローの流入量は、流量計２２で計測される後段処理水の流出量を基準に一定量を加算した値、若しくは一定量を乗じた値等を用いて、前段流量計１５で制御して行う。従って、開放型ろ過装置１１と密閉型ろ過装置２１とのろ過処理能力の差異が考慮されて開放型ろ過装置１１への流入量が制御されるので、前段処理水が不足し、水処理システム１が停止するのを防止することができる。
【００３６】
尚、開放型ろ過装置１１への流入量が、後段ポンプ４０で密閉型ろ過装置２１へ圧送される前段処理水の流入量より多い場合には、前段処理水はオーバーフローとして開放型ろ過装置１１の上方より配管５２を経由して配管５１または図示しない原水槽まで戻され、原水と一緒になって開放型ろ過装置１１に再び流入するようになっているので、原水若しくは前段処理水の無駄を防止することが出来る。
【００３７】
尚、配管５２及び前段流量計１５が増設されている以外第１実施形態と同じ構成であるので、配管５３に設置されている流量計２２を、後段ポンプ４０と密閉型ろ過装置２１の流入口とを連結する配管５０Ａの中間に設置し、密閉型ろ過装置２１に後段ポンプ４０で圧送される前段処理水の流入量を、この位置に設置された流量計で計測された流入量で制御しても良いことは、言うまでもない。
【００３８】
第４実施形態：
本発明の第４実施形態に係る水処理システムは、図４に示す通りであり、第３実施形態と以下の構成が異なる以外は同じである。即ち、オーバーフローとして流出させるために開放型ろ過装置１１の上方に接続されている配管５２にオーバーフロー流量計１６が設置されている。
【００３９】
第４実施形態において、密閉型ろ過装置２１に後段ポンプ４０で圧送される前段処理水の流入量は配管５３に設置されている流量計２２で計測される後段処理水の流出量に基き、後段ポンプ４０の回転数で流量が制御される。従って、後段ポンプ４０により圧送される前段処理水の必要量は、開放型ろ過装置１１で常時ろ過処理されることが必要となり、開放型ろ過装置１１への原水及びオーバーフローの流入量は、流量計２２で計測される後段処理水の流出量と、オーバーフロー流量計１６で計測されるオーバーフローの流出量との和を基準に一定量を加算した値、若しくは一定量を乗じた値等を用いて、前段流量計１５で制御して行う。従って、開放型ろ過装置１１と密閉型ろ過装置２１とのろ過処理能力の差異が考慮されて開放型ろ過装置１１への流入量が制御されるので、前段処理水が不足し、水処理システム１が停止するのを防止することができる。
【００４０】
尚、上記第１実施形態乃至第４実施形態において、密閉型ろ過装置２１に使用される装置として、膜ろ過装置の代わりに急速砂ろ過装置、または活性炭ろ過装置を用いても良い。
【００４１】
更に、上記第１実施形態乃至第４実施形態において、開放型ろ過装置１１に原水を圧送するのに前段ポンプ３０を用いたが、原水槽の水位を開放型ろ過装置１１の水位より高くし、高低差による圧力を用い原水等を開放型ろ過装置１１に流量制御弁にて制御して圧送しても良い。
【図面の簡単な説明】
【００４２】
【図１】本発明の第１実施形態に係る水処理システムの概略説明図である。
【図２】本発明の第２実施形態に係る水処理システムの概略説明図である。
【図３】本発明の第３実施形態に係る水処理システムの概略説明図である。
【図４】本発明の第４実施形態に係る水処理システムの概略説明図である。
【図５】従来例に係る水処理システムの概略説明図である。
【符号の説明】
【００４３】
１          水処理システム
１０        前段ろ過装置
１１        開放型ろ過装置
１２        流入口
１３        圧力計
１４        水位計
１５        前段流量計
１６        オーバーフロー流量計
２０        後段ろ過装置
２１        密閉型ろ過装置
２２        流量計
３０        前段ポンプ
４０        後段ポンプ
５０，５１，５２，５３  配管
【図１】
2010115576.tif 000003
【図２】
2010115576.tif 000004
【図３】
2010115576.tif 000005
【図４】
2010115576.tif 000006
【図５】
2010115576.tif 000007